【手続補正書】
【提出日】平成18年2月22日(2006.2.22)
【手続補正１】
【補正対象書類名】特許請求の範囲
【補正対象項目名】全文
【補正方法】変更
【補正の内容】
【特許請求の範囲】
【請求項１】
複数の機器に蓄積されている多数のコンテンツを管理するコンテンツ・マネジメント・システムであって、
コンテンツの探索モード並びにコンテンツの検索条件を指定するコマンド入力手段と、
無限の宇宙空間を準えた２次元又は３次元的な表示形態の画面フォーマットを生成する画面フォーマット生成手段と、
指定された検索条件に従って、コンテンツが蓄積されている複数の機器を探索するコンテンツ探索手段と、
前記コンテンツ探索手段により取り出された各コンテンツに関する情報を前記画面フォーマットの宇宙空間上の星にそれぞれマッピングして表示出力するように制御するコンテンツ提示手段と、
を具備することを特徴とするコンテンツ・マネジメント・システム。
【請求項２】
ユーザがコンテンツを探索する何ら目的を持たない場合にランダムなコンテンツ探索を行なう無目的探索モードと、目的若しくは検索条件が指定された目的別探索モードを備え、
前記コンテンツ探索手段は、
無目的探索モード下ではランダムに検索条件を生成し又は検索条件とは無関係にコンテンツの抽出を行ない、
目的別探索モード下では、前記コマンド入力手段を介して入力された検索条件に基づいてコンテンツを抽出する、
ことを特徴とする請求項１に記載のコンテンツ・マネジメント・システム。
【請求項３】
前記コンテンツ提示手段は、宇宙空間の中心から星までの距離は検索条件とその星に割り付けられたコンテンツとのマッチング度を表し、宇宙空間を３次元表示することによりマッチング度を基に多次元的にコンテンツをマッピングする、
ことを特徴とする請求項１に記載のコンテンツ・マネジメント・システム。
【請求項４】
前記コンテンツ提示手段は、星にマッピングされた各コンテンツの宇宙空間の中心からの距離や星同士の距離、中心からの方向、画像の大きさなどに、検索条件との適合性やユーザの嗜好とのマッチング度やその他の意味を定義する、
ことを特徴とする請求項１に記載のコンテンツ・マネジメント・システム。
【請求項５】
宇宙空間中心から所定の半径の範囲内で且つ所定の角度内の領域にマッピングされたコンテンツ群をグループとして登録するグループ登録手段をさらに備える、
ことを特徴とする請求項１に記載のコンテンツ・マネジメント・システム。
【請求項６】
前記宇宙空間は、複数の機器に蓄積されているコンテンツの提供空間を表す、
ことを特徴とする請求項１に記載のコンテンツ・マネジメント・システム。
【請求項７】
複数の機器に蓄積されている多数のコンテンツを管理するコンテンツ・マネジメント方法であって、
コンテンツの探索モード並びにコンテンツの検索条件を指定するコマンド入力ステップと、
無限の宇宙空間を準えた２次元又は３次元的な表示形態の画面フォーマットを生成する画面フォーマット生成ステップと、
指定された検索条件に従って、コンテンツが蓄積されている複数の機器を探索するコンテンツ探索ステップと、
前記コンテンツ探索ステップにおいて取り出された各コンテンツに関する情報を前記画面フォーマットの宇宙空間上の星にそれぞれマッピングして表示出力するように制御するコンテンツ提示ステップと、
を具備することを特徴とするコンテンツ・マネジメント方法。
【請求項８】
ユーザがコンテンツを探索する何ら目的を持たない場合にランダムなコンテンツ探索を行なう無目的探索モードと、目的若しくは検索条件が指定された目的別探索モードを備え、
前記コンテンツ探索ステップでは、
無目的探索モード下ではランダムに検索条件を生成し又は検索条件とは無関係にコンテンツの抽出を行ない、
目的別探索モード下では、前記コマンド入力ステップにおいて入力された検索条件に基づいてコンテンツを抽出する、
ことを特徴とする請求項７に記載のコンテンツ・マネジメント方法。
【請求項９】
前記コンテンツ提示ステップでは、宇宙空間の中心から星までの距離は検索条件とその星に割り付けられたコンテンツとのマッチング度を表し、宇宙空間を３次元表示することによりマッチング度を基に多次元的にコンテンツをマッピングする、
ことを特徴とする請求項７に記載のコンテンツ・マネジメント方法。
【請求項１０】
前記コンテンツ提示ステップでは、星にマッピングされた各コンテンツの宇宙空間の中心からの距離や星同士の距離、中心からの方向、画像の大きさなどに、検索条件との適合性やユーザの嗜好とのマッチング度やその他の意味を定義する、
ことを特徴とする請求項７に記載のコンテンツ・マネジメント方法。
【請求項１１】
宇宙空間中心から所定の半径の範囲内で且つ所定の角度内の領域にマッピングされたコンテンツ群をグループとして登録するグループ登録ステップをさらに備える、
ことを特徴とする請求項７に記載のコンテンツ・マネジメント方法。
【請求項１２】
前記宇宙空間は、複数の機器に蓄積されているコンテンツの提供空間を表す、
ことを特徴とする請求項７に記載のコンテンツ・マネジメント・システム。
【請求項１３】
複数の機器に蓄積されている多数のコンテンツを管理するための処理をコンピュータ・システム上で実行するようにコンピュータ可読形式で記述されたコンピュータ・プログラムであって、前記コンピュータ・システムに対し、
コンテンツの探索モード並びにコンテンツの検索条件を指定するコマンド入力手順と、
無限の宇宙空間を準えた２次元又は３次元的な表示形態の画面フォーマットを生成する画面フォーマット生成手順と、
指定された検索条件に従って、コンテンツが蓄積されている複数の機器を探索するコンテンツ探索手順と、
前記コンテンツ探索手順において取り出された各コンテンツに関する情報を前記画面フォーマットの宇宙空間上の星にそれぞれマッピングして表示出力するように制御するコンテンツ提示手順と、
を実行させることを特徴とするコンピュータ・プログラム。
【手続補正２】
【補正対象書類名】明細書
【補正対象項目名】０００６
【補正方法】変更
【補正の内容】
【０００６】
現在、ＧＵＩ（Ｇｒａｐｈｉｃａｌ  Ｕｓｅｒ  Ｉｎｔｅｆａｃｅ）が提供されているデスクトップ画面ではさまざまな資源オブジェクトがアイコンで表示され、直感的に入力操作で取り扱うことができ、便利となっているが、所望のコンテンツへ辿り付くための手がかりや道標を提供するものはない。この結果、ユーザは、利用可能なコンテンツを有効に活用することができず、コンテンツの死蔵に至ってしまう。
【手続補正３】
【補正対象書類名】明細書
【補正対象項目名】００１４
【補正方法】変更
【補正の内容】
【００１４】
本発明は、上記課題を参酌してなされたものであり、その第１の側面は、複数の機器に蓄積されている多数のコンテンツを管理するコンテンツ・マネジメント・システムであって、
コンテンツの探索モード並びにコンテンツの検索条件を指定するコマンド入力手段と、
無限の宇宙空間を準えた２次元又は３次元的な表示形態の画面フォーマットを生成する画面フォーマット生成手段と、
指定された検索条件に従って、コンテンツが蓄積されている複数の機器を探索するコンテンツ探索手段と、
前記コンテンツ探索手段により取り出された各コンテンツに関する情報を前記画面フォーマットの宇宙空間上の星にそれぞれマッピングして表示出力するように制御するコンテンツ提示手段と、
を具備することを特徴とするコンテンツ・マネジメント・システムである。
【手続補正４】
【補正対象書類名】明細書
【補正対象項目名】００２５
【補正方法】変更
【補正の内容】
【００２５】
また、本発明の第２の側面は、複数の機器に蓄積されている多数のコンテンツを管理するための処理をコンピュータ・システム上で実行するようにコンピュータ可読形式で記述されたコンピュータ・プログラムであって、前記コンピュータ・システムに対し、
コンテンツの探索モード並びにコンテンツの検索条件を指定するコマンド入力手順と、
無限の宇宙空間を準えた２次元又は３次元的な表示形態の画面フォーマットを生成する画面フォーマット生成手順と、
指定された検索条件に従って、コンテンツが蓄積されている複数の機器を探索するコンテンツ探索手順と、
前記コンテンツ探索手順において取り出された各コンテンツに関する情報を前記画面フォーマットの宇宙空間上の星にそれぞれマッピングして表示出力するように制御するコンテンツ提示手順と、
を実行させることを特徴とするコンピュータ・プログラムである。